(57)【要約】【課題】地域経済の活性化を図るために、地域の店舗をユーザに照会し、該店舗のクーポンをユーザに供与できるシステムを提供する。【解決手段】広告情報登録装置２は、地域１ａに所在する店舗に設置された店舗装置４から広告情報を受信すると、該広告情報をカテゴライズして記憶すると共に、広告情報を登録した店舗から端末装置３までの距離と該距離に応じた特典を含むクーポン情報を生成・記憶し、所定のタイミングで、全ての端末装置３で共通となる広告情報と、送信先となる端末装置３に対応するクーポン情報を端末装置３送信する。端末装置３は、ユーザに店舗のリストを表示し、表示した店舗の中からユーザが店舗を選択すると、ユーザが選択した店舗に対応するクーポン情報に該店舗の広告情報を付加した広告付きクーポン情報を表示し、ユーザが選択した広告付きクーポン情報を携帯端末５に書き込む処理を実行する。【選択図】図１
2013145520.tif 000002
【特許請求の範囲】
【請求項１】
地域に存在する店舗の店舗名、住所及び掲載広告を含む広告情報が登録される広告情報登録装置と、前記広告情報登録装置から前記広告情報及びクーポン情報が送信される端末装置と、前記クーポン情報が書き込まれる携帯端末とから少なくとも構成されるシステムであって、
前記広告情報登録装置は、前記広告情報を記憶する広告情報登録ＤＢ（DB: DataBase）と、前記端末装置毎に設けられ、前記端末装置に対応した前記クーポン情報を記憶するクーポン情報登録ＤＢと、店舗から登録要求を受けた前記広告情報を前記広告情報登録ＤＢに登録する広告情報登録手段と、該広告情報に含まれる店舗の住所と前記端末装置の住所から前記端末装置から該広告情報に対応する店舗までの距離を演算し、演算した距離に応じた特典を決定した後、前記広告情報に含まれる店舗名、演算した距離及び決定した特典を含む前記クーポン情報を前記端末装置に対応する前記クーポン情報登録ＤＢに登録する処理を前記端末装置毎に行うクーポン情報登録手段と、前記端末装置に対して前記広告情報登録と対応する前記クーポン情報登録ＤＢの内容を送信する情報送信手段を備え、
前記端末装置は、前記情報端末と非接触通信するリーダライタと、前記広告情報登録装置から送信された広告情報を記憶する広告情報ＤＢと、前記広告情報登録装置から送信された前記クーポン情報を記憶するクーポン情報ＤＢと、前記広告情報ＤＢに記憶している前記広告情報に含まれる店舗名のリストを表示し、ユーザが選択した店舗名に対応する前記クーポン情報を前記クーポン情報ＤＢから、該店舗名に対応する前記広告情報を前記広告情報ＤＢから取得して、該クーポン情報に該広告情報を付加した広告付きクーポン情報を表示し、前記リーダライタを用いて、ユーザが選択した前記広告付きクーポン情報を前記携帯端末に書き込む広告付きクーポン発行手段を備え、
前記情報端末は、前記端末装置と非接触通信する手段と、前記端末装置から送信された前記広告付きクーポン情報をメモリに書き込む手段を備えている、
ことを特徴とする広告付きクーポン発行システム。
【請求項２】
前記広告情報は掲載広告のカテゴリを含み、前記広告情報登録装置の前記広告情報登録手段は、店舗から登録要求を受けた前記広告情報をカテゴライズして前記広告情報登録ＤＢに登録し、前記端末装置の前記広告付きクーポン発行手段は、カテゴリのリストを表示し、ユーザが選択したカテゴリに属する前記広告情報を登録した店舗のリストを表示する、ことを特徴する、請求項１に記載した広告付きクーポン発行システム。
【発明の詳細な説明】
【技術分野】
【０００１】
本発明は、紙媒体のクーポン券を電子化したクーポンを発行するための技術に関し、更に詳しくは、地域経済の活性化を図るために、地域の店舗に係るクーポンを発行するための技術に関する。
【背景技術】
【０００２】
大型店舗の出店に伴い地域密着型の商店街の売り上げが減少し、地域経済が衰退化することが多くなったため、地域経済を活性化させる試みが必要とされ、このような試みの一つとして、地域でのみ利用可能なクーポン券を発行することが行われている。
【０００３】
クーポン券としては従来からある紙媒体のクーポン券を発行するケースが多いが、クーポン券を電子化したクーポン（例えば、ポイント）を発行することも検討されつつあり、電子化したクーポンの発行に係る発明として、会員登録されたユーザが所持する携帯端末を利用してユーザを識別し、取引端末が設置された店舗をユーザが利用すると、ユーザに応じた電子クーポン（例えば、顧客が購入した購入金額に応じた電子クーポン）を顧客に供与する発明が既に開示されている（例えば、特許文献１〜５）。
【先行技術文献】
【特許文献】
【０００４】
【特許文献１】特開２００２−１９７５４４号公報
【特許文献２】特開２００２−３６７０３５号公報
【特許文献３】特開２００３−２２４８１号公報
【特許文献４】特開２００３−４４９３４号公報
【特許文献５】特開２００３−２２３５８２号公報
【発明の概要】
【発明が解決しようとする課題】
【０００５】
しかしながら、従来の技術では、ユーザが店舗を利用した際にユーザに電子クーポンが供与されるため、ユーザが知らない地域の店舗の電子クーポンをユーザに供与することはできなかった。
【０００６】
また、従来の技術では、ユーザに供与する電子クーポンは、ユーザがいる地域に係る電子クーポンではなくユーザに依存（例えば、ユーザの購入金額に依存）するため、電子クーポンを利用するためにユーザの会員登録などが必要とされていた。
【０００７】
更に、地域の店舗は、ユーザがいる場所から交通の便が不便な場所にあることもあるが、従来の
技術では、このような場所にある店舗にユーザの来店を促す仕組みは設けられていなかった。
【０００８】
そこで、本発明は、地域経済の活性化を図るために、地域の店舗をユーザに照会し、該店舗のクーポンをユーザに供与することができるシステムを提供することを目的とし、更に、ユーザがいる場所から交通の便が不便な場所にある地域の店舗であってもユーザの来店を促すことができるようにする。
【課題を解決するための手段】
【０００９】
上述した課題を解決する第１の発明は、地域に存在する店舗の店舗名、住所及び掲載広告を含む広告情報が登録される広告情報登録装置と、前記広告情報登録装置から前記広告情報及びクーポン情報が送信される端末装置と、前記クーポン情報が書き込まれる携帯端末とから少なくとも構成されるシステムである。
【００１０】
前記広告情報登録装置は、ＤＢ（DB: DataBase）として、前記広告情報を記憶する広告情報登録と、前記端末装置毎に設けられ、前記端末装置に対応した前記クーポン情報を記憶するクーポン情報登録ＤＢを備え、店舗から登録要求を受けた前記広告情報を前記広告情報登録ＤＢに登録する広告情報登録手段と、店舗から端末装置までの距離に応じて特典を変更できるように、該広告情報に含まれる店舗の住所と前記端末装置の住所から前記端末装置から該広告情報に対応する店舗までの距離を演算し、演算した距離に応じた特典を決定した後、前記広告情報に含まれる店舗名、演算した距離及び決定した特典を含む前記クーポン情報を前記端末装置に対応する前記クーポン情報登録ＤＢに登録する処理を前記端末装置毎に行うクーポン情報登録手段を備え、更に、前記端末装置に対して前記広告情報登録と対応する前記クーポン情報登録ＤＢの内容を送信する情報送信手段を備える。
【００１１】
また、第１の発明において、前記端末装置は、ＤＢとして、前記情報端末と非接触通信するリーダライタと、前記広告情報登録装置から送信された広告情報を記憶する広告情報ＤＢと、前記広告情報登録装置から送信された前記クーポン情報を記憶するクーポン情報ＤＢを備え、クーポン情報をユーザに発行するために、前記広告情報ＤＢに記憶している前記広告情報に含まれる店舗名のリストを表示し、ユーザが選択した店舗名に対応する前記クーポン情報を前記クーポン情報ＤＢから、該店舗名に対応する前記広告情報を前記広告情報ＤＢから取得して、該クーポン情報に該広告情報を付加した広告付きクーポン情報を表示し、前記リーダライタを用いて、ユーザが選択した前記広告付きクーポン情報を前記携帯端末に書き込む広告付きクーポン発行手段を備える。
【００１２】
また、第１の発明において、前記情報端末は、前記端末装置から受信した前記広告付きクーポン情報を書き込めるように、前記端末装置と非接触通信する手段と、前記端末装置から送信された前記広告付きクーポン情報をメモリに書き込む手段を備える。
【００１３】
更に、第２の発明は、第１の発明において、店舗のリストをカテゴリに応じて表示できるように、前記広告情報は掲載広告のカテゴリを含み、前記広告情報登録装置の前記広告情報登録手段は、店舗から登録要求を受けた前記広告情報をカテゴライズして前記広告情報登録ＤＢに登録し、前記端末装置の前記広告付きクーポン発行手段は、カテゴリのリストを表示し、ユーザが選択したカテゴリに属する前記広告情報を登録した店舗のリストを表示することを特徴する。
【発明の効果】
【００１４】
上述した発明によれば、端末情報に送信されるクーポン情報は地域の店舗になり、また、広告付きクーポン情報を発行する際、該店舗のリストが表示されるため、地域の店舗をユーザに照会し、該店舗のクーポンをユーザに供与することができるようになる。
【００１５】
更に、ユーザに発行される広告付きクーポン情報の特典は、店舗から端末装置までの距離に応じて決定されるため、店舗から端末装置までの距離が遠くなるほど特典を高めれば、ユーザがいる場所から交通の便が不便な場所にある地域の店舗であってもユーザの来店を促すことができるようになる。
【図面の簡単な説明】
【００１６】
【図１】本実施形態に係る広告付きクーポン発行システムの構成を説明する図。
【図２】広告情報登録装置のブロック図。
【図３】広告情報登録装置の広告情報登録手段の動作を説明するフロー図。
【図４】広告情報登録装置に送信される広告情報と広告情報登録ＤＢの内容を説明する図。
【図５】広告情報登録装置のクーポン情報登録手段の動作を説明するフロー図。
【図６】クーポン情報登録ＤＢの内容を説明する図。
【図７】端末装置のブロック図。
【図８】端末装置の広告付きクーポン発行手段の動作を説明するフロー図。
【図９】端末装置のタッチパネルに表示される画面を説明する図。
【図１０】広告付きクーポン情報を説明する図。
【図１１】携帯端末の動作を説明する図。
【図１２】携帯端末に表示される画面を説明する図。
【発明を実施するための形態】
【００１７】
ここから、本発明に係る広告付きクーポン発行システム１の好適な実施形態について、図面を参照しながら詳細に説明する。なお、これから説明する実施形態は本発明の一実施形態にしか過ぎず、本発明は，これから説明する実施形態に限定されることなく、種々の変形や変更が可能である。
【００１８】
図１は、本実施形態に係る広告付きクーポン発行システム１の構成を説明する図である。本実施形態に係る広告付きクーポン発行システム１は、地域経済を活性化させるために開発されたシステムで、図１に図示したように、本実施形態に係る広告付きクーポン発行システム１は、店舗の広告情報が登録される広告情報登録装置２と、広告情報登録装置２に広告情報を登録するために利用される店舗装置４と、広告情報登録装置２から広告情報が送信される端末装置３と、端末装置３から広告情報が付加されたクーポン情報が書き込まれる携帯端末５をネットワーク６に接続した構成としており、図１では、コンビニエンスストアなどに設置される端末装置３は、無線通信スポット６ａを介してネットワーク６に接続する。
【００１９】
図１では、地域１ａにある店舗を店舗Ａ、Ｂ及びＣの３店舗とし端末装置３を一台として図示しているが、これは発明を分かり易くするために過ぎず、実際は、数多くの店舗及び端末装置３が地域１ａ内に存在することになる。また、図１では、端末装置３の設置場所をコンビニエンスストアとしているが、端末装置３の設置場所はコンビニエンスストアに限らず、大勢の人が訪れる場所（例えば、駅）が好ましい。
【００２０】
本実施形態において、広告情報登録装置２は、地域１ａに所在する店舗に設置された店舗装置４から広告情報を受信すると、該広告情報をカテゴライズして記憶すると共に、地域１ａに設置されている端末装置３毎に、広告情報を登録した店舗の識別子（ここでは、店舗名）、該店舗から端末装置３までの距離と該距離に応じた特典を含むクーポン情報を生成・記憶し、所定のタイミング（例えば、一定期間毎）で、全ての端末装置３で共通となる広告情報と、送信先となる端末装置３に対応するクーポン情報を送信する処理を、地域１ａに設置されている端末装置３毎に行う。
【００２１】
なお、クーポン情報の特典を、クーポン情報に対応する店舗から端末装置３までの距離に応じた特典としているのは、端末装置３の所在地から交通の便が不便な場所にある店舗であってもユーザの来店を促すことができるようにするためである。クーポン情報に対応する店舗の所在地から端末装置３の所在地までの距離が遠くなるほどクーポン情報の特典を高くすることで、端末装置３の所在地、すなわち、端末装置３を操作するユーザがいる場所から交通の便が不便な場所にある店舗であってもユーザの来店を促すことができるようになる。
【００２２】
また、本実施形態において、コンビニエンスストアなどに設置される端末装置３は、ユーザが知らない地域１ａの店舗をもユーザに照会するために、予め設定されているカテゴリのリストを表示し、ユーザが選択したカテゴリに属する広告情報を登録した店舗のリストを表示する。更に、端末装置３は、地域１ａの店舗のクーポンをユーザに供与するために、表示した店舗の中からユーザが店舗を選択すると、ユーザが選択した店舗に対応するクーポン情報に該店舗の広告情報を付加した広告付きクーポン情報を表示し、ユーザが選択した広告付きクーポン情報を携帯端末５に書き込む処理を実行する。
【００２３】
ここから、図１で図示した広告付きクーポン発行システム１を構成する各装置について説明する。まず、地域１ａに所在する店舗に設置された店舗装置４について説明する。店舗装置４は汎用的なパーソナルコンピュータにより実現される装置で、店舗の広告情報を広告情報登録装置２に送信し、店舗の広告情報を広告情報登録装置２に登録するための手段を有する。
【００２４】
店舗の広告情報には店舗名、店舗の住所、店舗へのアクセス情報、掲載広告（テキストと画像）及び掲載広告のカテゴリが含まれ、店舗の広告情報を広告情報登録装置２に登録するための手法としては電子メールや広告情報登録装置２のウェブページなどが考えられ、電子メールを利用する際、店舗の広告情報を広告情報登録装置２に登録するための手段はメールクライアントソフトになり、また、広告情報登録装置２のウェブページを利用する際、店舗の広告情報を広告情報登録装置２に登録するための手段はウェブブラウザになる。
【００２５】
なお、店舗の広告情報に店舗名に加え、店舗の住所及び店舗へのアクセス情報を含ませるのは、ユーザが知らない店舗であっても、ユーザが店舗に来店し易くするためである。
【００２６】
次に、広告情報登録装置２について説明する。図２は、広告情報登録装置２のブロック図である。
【００２７】
広告情報登録装置２は汎用的なサーバを用いて実現される装置で、データ記憶装置に設けられたＤＢとして、カテゴライズされた状態の広告情報を記憶する広告情報登録ＤＢ２３（DB: DataBase）と、店舗から端末装置３までの距離に基づき生成したクーポン情報を記憶するクーポン情報登録ＤＢ２４を備え、クーポン情報登録ＤＢ２４は、地域１ａ内に設置される端末装置３の数だけ設けられることになる。
【００２８】
また、広告情報登録装置２は、ソフトウェアを利用して実現される機能として、店舗装置４から受信した広告情報をそのカテゴリに応じて広告情報登録ＤＢ２３に登録する広告情報登録手段２０と、地域１ａに所在する店舗に設置された店舗装置４から広告情報を受信すると、地域１ａに設置されている端末装置３毎に、広告情報を登録した店舗の識別子（ここでは、店舗名）、該店舗から端末装置３までの距離と該距離に応じた特典を含むクーポン情報を生成する処理を行い、端末装置３に対応するクーポン情報登録ＤＢ２４にクーポン情報を記憶するクーポン情報登録手段２１と、所定のタイミング（例えば、一定期間毎）で、全ての端末装置３で共通となる広告情報登録ＤＢ２３の内容と、送信先となる端末装置３に対応するクーポン情報登録ＤＢ２４の内容を送信する処理を端末装置３毎に行う情報送信手段２３を備える。
【００２９】
図３は、広告情報登録装置２の広告情報登録手段２０の動作を説明するフロー図である。図３のフロー図は、地域１ａに存在する店舗に設置された店舗装置４から広告情報を受信する毎に実行される手順で、地域１ａに存在する店舗に設置された店舗装置４から広告情報を受信すると（Ｓ１）、広告情報登録装置２の広告情報登録手段２０は、該広告情報に含まれるカテゴリを取得し（Ｓ２）、取得したカテゴリに対応付けて該広告情報を広告情報ＤＢに記憶し（Ｓ３）、この手順は終了する。
【００３０】
図４は、広告情報登録装置２に送信される広告情報と広告情報登録ＤＢ２３の内容を説明する図である。図４（ａ）は広告情報登録装置２に送信される広告情報を説明する図である。上述しているように、広告情報登録装置２に送信される広告情報には、店舗名、店舗の住所、店舗へのアクセス情報、掲載広告（テキストと画像）及び広告情報のカテゴリが含まれ、その並び順は、店舗名、店舗の住所、アクセス情報、掲載広告及びカテゴリの順になる。
【００３１】
図４（ａ）に従えば、店舗Ａの掲載広告はサッカー用ユニフォームの広告で、店舗Ａのカテゴリは「１」（スポーツ用品）で、店舗Ｂの掲載広告はブランド時計の広告で、店舗Ｂのカテゴリは「３」（ブランド品）で、店舗Ｃの掲載広告はサッカーシューズの広告で、店舗Ｃのカテゴリは「１」（スポーツ用品）である。
【００３２】
図４（ｂ）は広告情報登録ＤＢ２３の内容を説明する図である。広告情報登録ＤＢ２３には、カテゴリに分類して広告情報を記憶するための仕組み（例えば、カテゴリ毎のデータテーブル）が設けられ、広告情報登録装置２の広告情報登録手段２０は、店舗装置４から受信した広告情報のカテゴリに基づき、店舗装置４から受信した広告情報を広告情報登録ＤＢ２３に登録し、広告情報登録ＤＢ２３に登録されている広告情報において、広告情報に含まれる情報の並び順は、カテゴリ、店舗名、店舗の住所、アクセス情報及び掲載広告の順になる。
【００３３】
図５は、広告情報登録装置２のクーポン情報登録手段２１の動作を説明するフロー図である。図５のフロー図は、地域１ａに存在する店舗に設置された店舗装置４から広告情報を受信する毎に実行される手順で、店舗装置４から広告情報を受信すると（Ｓ１０）、広告情報登録装置２のクーポン情報登録手段２１は、地域１ａに設置されている端末装置３毎に実行するループ処理（Ｓ１１）を実行し、地域１ａに設置されている全ての端末装置３についてループ処理（Ｓ１１）を実行すると、この手順を終了する。
【００３４】
ループ処理（Ｓ１１）において、広告情報登録装置２のクーポン情報登録手段２１は、まず、受信した広告情報を登録した店舗からループ処理（Ｓ１１）の対象となる端末装置３までの距離を演算する（Ｓ１２）。
【００３５】
受信した広告情報を登録した店舗からループ処理（Ｓ１１）の対象となる端末装置３までの距離を演算するために、広告情報登録装置２のクーポン情報登録手段２１は、地域１ａに設置されている端末装置３毎に端末装置３の住所と送信先（例えば、ネットワークアドレス）を記憶しており、広告情報に含まれる店舗の住所に対応する緯度経度と端末装置３の住所に対応する緯度経度を利用して、受信した広告情報を登録した店舗からループ処理（Ｓ１１）の対象となる端末装置３までの距離を演算する。
【００３６】
受信した広告情報を登録した店舗からループ処理（Ｓ１１）の対象となる端末装置３までの距離を演算すると、端末装置３のクーポン情報登録手段２１は、該距離に基づく特典を決定する（Ｓ１３）。
【００３７】
距離に基づき特典を決定する手法は様々考えられるが、本実施形態では、受信した広告情報を登録した店舗からループ処理（Ｓ１１）の対象となる端末装置３までの距離を四捨五入した距離に、１ｋｍ当たりの単位金額（ここでは、５００円）を乗算することで、距離に応じた特典を演算する。
【００３８】
端末装置３のクーポン情報登録手段２１は、距離に基づく特典を決定すると、受信した広告情報に含まれる店舗名、演算した距離、演算した距離に基づく特典を含むクーポン情報を生成し（Ｓ１４）、ループ処理（Ｓ１１）の対象となる端末装置３に対応するクーポン情報登録ＤＢ２４に該クーポン情報を追加して（Ｓ１５）、ループ処理（Ｓ１１）に係る処理は終了する。
【００３９】
図６は、クーポン情報登録ＤＢ２４の内容を説明する図である。図６では、店舗の識別子として店舗名が利用され、広告情報を登録した店舗と端末装置３が設置されている店舗間の距離を四捨五入した距離に、１ｋｍ当たりの単位金額（ここでは、５００円）を乗算することで、店舗から端末装置３までの距離に応じた特典が演算されている。
【００４０】
図６では、店舗Ａから端末装置３までの距離は３．８ｋｍで、店舗Ａの広告情報に付加するクーポン情報の特典は２、０００円になっている。また、店舗Ｂから端末装置３までの距離は６．１ｋｍであるため、店舗Ｂの広告情報に付加するクーポン情報の特典は３，０００円になっている。更に、店舗Ｃから端末装置３までの距離は０．８ｋｍであるため、店舗Ｃの広告情報に付加するクーポン情報の特典は５００円になっている。
【００４１】
次に、端末装置３について説明する。端末装置３はコンピュータボードが実装された装置で、具体的にはデジタルサイネージやＰＯＳ端末などの装置である。
【００４２】
図７は、端末装置３のブロック図である。図７（ａ）は端末装置３の外観を説明する図で、図７（ａ）に図示しているように、端末装置３は、デバイスとして、液晶ディスプレイと組み合わされたタッチパネル３４と、ユーザが所持する携帯端末５と非接触通信するためのリーダライタ３３を備えている。
【００４３】
リーダライタ３３が対応している非接触通信は携帯端末５に依存し、例えば、ISO/IEC14443で規格化されているTypeA及びTypeB、FeliCa、ISO/IEC18092で規格化されているNFC (Near Field Communication) 、ISO/IEC 15693で規格化されている近傍型の非接触通信などが考えられる。
【００４４】
図７（ｂ）は、端末装置３に備えられる機能を説明する図で、図７（ｂ）に図示したように、端末装置３は、ＤＢとして、広告情報登録装置２から送信された広告情報登録ＤＢ２３の内容を記憶する広告情報ＤＢ３１と、広告情報登録装置２から送信されたクーポン情報登録ＤＢ２４の内容を記憶するクーポン情報ＤＢ３２を備える。
【００４５】
また、端末装置３は、ソフトウェアにより実現される機能として、広告情報に含まれる店舗名のリストを表示し、ユーザが選択した店舗名に対応するクーポン情報をクーポン情報ＤＢ３２から、該店舗名に対応する広告情報を広告情報ＤＢ３１から取得して、該クーポン情報に該広告情報を付加した広告付きクーポン情報を表示し、リーダライタ３３を用いて、ユーザが選択した広告付きクーポン情報を携帯端末５に書き込む広告付きクーポン発行手段３０を備える。
【００４６】
図８は、端末装置３の広告付きクーポン発行手段３０の動作を説明するフロー図で、図９は、端末装置３のタッチパネル３４に表示される画面を説明する図である。
【００４７】
本実施形態において、端末装置３の広告付きクーポン発行手段３０は、ユーザの操作を受けるまでの間、端末装置３に記憶されている映像を再生し（Ｓ２０）、広告情報を表示させる操作を検知すると（Ｓ２１）、まず、広告情報のカテゴリのリストをタッチパネル３４に表示する（Ｓ２２）。
【００４８】
図９（ａ）は、映像が再生されている状態のタッチパネル３４の画面で、図９（ａ）では、端末装置３に記憶されている映像に加え、ユーザが広告情報を表示させる操作を際にタップする文字列７ａ（ここでは、「広告情報の確認」）が表示され、文字列７ａがタッチされることで、ユーザによって広告情報を表示させる操作がなされる。
【００４９】
図９（ｂ）は、カテゴリのリストが表示されている状態のタッチパネル３４の画面で、図９（ｂ）では、広告情報のカテゴリ毎に、カテゴリ名が表示されるボタンオブジェクト７ｂが表示され、このボタンオブジェクト７ｂがタップされることで、広告情報のカテゴリの中からユーザによって一つのカテゴリが選択される。
【００５０】
端末装置３の広告付きクーポン発行手段３０は、カテゴリが選択された操作を検知すると（Ｓ２３）、選択されたカテゴリに属する広告情報を登録した店舗のリストを表示する（Ｓ２４）。
【００５１】
図９（ｃ）は、選択されたカテゴリに属する広告情報を登録した店舗のリストを表示している状態のタッチパネル３４の画面で、図９（ｃ）では、選択されたカテゴリ（ここでは、スポーツ用品）に属する広告情報を登録した店舗の店舗名（ここでは、店舗Ａ及びＣ）が表示され、更に、トップの画面（ここでは、図９（ａ））に戻るためのボタンオブジェクト７ｃと、店舗毎に店舗を選択させるためのボタンオブジェクト７ｄと、全ての店舗を選択するためのボタンオブジェクト７ｅが表示され、ここでは、ボタンオブジェクト７ｅが選択されて全ての店舗（ここでは、店舗Ａ及びＣ）が選択されたものとする。
【００５２】
端末装置３の広告付きクーポン発行手段３０は、選択されたカテゴリに属する広告情報を登録した店舗のリストの中から一つまたは複数の店舗が選択されると（Ｓ２５）、選択された店舗のクーポン情報に該店舗の広告情報を付加した広告付きクーポン情報を表示する（Ｓ２６）。
【００５３】
図１０は、広告付きクーポン情報を説明する図である。図１０（ａ）は、店舗Ａの広告付きクーポン情報を説明する図で、店舗Ａの広告付きクーポン情報は、店舗Ａに係る距離（３．８ｋｍ）と特典（２、０００円）が含まれるクーポン情報に店舗Ａの広告情報が付加された情報になっている。また、図１０（ｂ）は、店舗Ｃの広告付きクーポン情報は、店舗Ｃに係る距離（０．８ｋｍ）と特典（５００円）が含まれるクーポン情報に店舗Ｃの広告情報が付加された情報になっている。
【００５４】
図９（ｄ）は、広告付きクーポン情報を表示している状態のタッチパネル３４の画面で、図９（ｄ）では、全ての店舗（ここでは、店舗Ａ及び店舗Ｃ）が選択されているため、店舗Ａ及び店舗Ｃの広告付きクーポン情報が表示され、更に、トップの画面（ここでは、図９（ａ））に戻るためのボタンオブジェクト７ｆと、広告付きクーポン情報を表示する画面を一つ前に戻すためのボタンオブジェクト７ｇと、広告付きクーポン情報を表示する画面を一つ進めるためのボタンオブジェクト７ｈが表示されている。
【００５５】
図９（ｄ）の画面では、タッチパネル３４に表示されている広告付きクーポン情報がタップされることで広告付きクーポンが選択され、端末装置３の広告情報発行手段は、広告付きクーポン情報を選択する操作を検知すると（Ｓ２７）、選択された広告付きクーポン情報を表示する（Ｓ２８）。
【００５６】
図９（ｅ）は、選択された広告付きクーポン情報を表示している状態のタッチパネル３４の画面で、図９（ｅ）では、選択された広告付きクーポン情報（ここでは、店舗Ａの広告付きクーポン情報）が表示され、更に、選択された広告付きクーポン情報を携帯端末５に書き込む際にタップする文字列７ｉ（ここでは、「書き込み」）と、トップの画面（ここでは、図９（ａ））に戻るためのボタンオブジェクト７ｊが表示されている。
【００５７】
選択された広告付きクーポン情報を携帯端末５に書き込む際にタップする文字列７ｉがタップされることで、選択された広告付きクーポン情報を携帯端末５に書き込む操作がなされ、端末装置３の広告情報発行手段は、選択された広告付きクーポンを携帯端末５に書き込む操作を検知すると（Ｓ２９）、選択された広告付きクーポン情報を携帯端末５に書き込む処理を実行し（Ｓ３０）、選択された広告付きクーポン情報を携帯端末５に書き込む処理が終了すると、図８の手順は終了する。
【００５８】
図９（ｆ）は、選択された広告付きクーポン情報を携帯端末５に書き込みしている状態のタッチパネル３４の画面で、図９（ｆ）では、選択された広告付きクーポン情報を携帯端末５に書き込みしていることを示すメッセージが表示されている。
【００５９】
また、図９（ｇ）は、選択された広告付きクーポン情報の書き込みが終了した状態のタッチパネル３４の画面で、図９（ｇ）では、選択された広告付きクーポン情報の書き込みが終了したことを示すメッセージが表示されている。
【００６０】
ここから、携帯端末５について説明する。携帯端末５は、端末装置３に備えられたリーダライタ３３に対応した非接触通信手段と、端末装置３から送信された広告付きクーポン情報をメモリに書き込む手段と、メモリに書き込まれた広告付きクーポン情報を表示する操作がなされると、メモリに書き込まれた広告付きクーポン情報をディスプレイに表示する手段を備えた装置で、具体的には、ＦｅｌｉＣａ（登録商標）に代表されるモバイル用非接触ＩＣチップが実装された携帯電話及びスマートフォン又は表示デバイス付きのＩＣカードなどである。
【００６１】
図１１は、携帯端末５の動作を説明する図で、図１２は、携帯端末５に表示される画面を説明する図である。携帯端末５は、端末装置３と非接触通信を開始した後（Ｓ４０）、端末装置３から広告付きクーポン情報を受信すると（Ｓ４１）、受信した広告付きクーポン情報をＲＡＭなどの揮発性メモリに一時記憶を実行する（Ｓ４２）。
【００６２】
図１２（ａ）は、受信した広告付きクーポン情報をメモリに書き込む処理をしている状態の携帯端末５の画面で、図１２（ａ）では、受信した広告付きクーポン情報をメモリに書き込む処理を実行していることを示すメッセージが表示されている。
【００６３】
図１２（ｂ）は、受信した広告付きクーポン情報の書き込みが終了した状態の携帯端末５の画面で、図１２（ｂ）では、受信した広告付きクーポン情報の書き込みが終了したことを示すメッセージが表示され、更に、一時記憶した広告付きクーポン情報を表示させるためのボタンオブジェクト７ｋが表示されている。
【００６４】
受信した広告付きクーポン情報を一時記憶した後、一時記憶した広告付きクーポン情報を表示させるためのボタンオブジェクト７ｋが選択され、携帯端末５は、一時記憶した広告付きクーポン情報を表示させる操作を検知すると（Ｓ４３）、一時記憶した広告付きクーポン情報を携帯端末５のディスプレイに表示する（Ｓ４４）。
【００６５】
図１２（ｃ）は、広告付きクーポン情報を表示している状態の携帯端末５の画面で、図１２（ｃ）では、一時記憶した広告付きクーポン情報（ここでは、店舗Ａの広告付きクーポン情報）が携帯端末５のディスプレイに表示され、更に、一時記憶した広告付きクーポン情報を表示させるためのボタンオブジェクト７ｌが表示されている。
【００６６】
一次記憶した広告付きクーポン情報を表示した後、一時記憶した広告付きクーポン情報を保存するためのボタンオブジェクト７ｌが選択され、携帯端末５は、一時記憶した広告付きクーポン情報を保存する操作を検知すると（Ｓ４５）、一時記憶した広告付きクーポン情報を携帯端末５の不揮発性メモリ（例えば、フラッシュメモリ）に保存して（Ｓ４６）、この手順は終了する。
【符号の説明】
【００６７】
１    広告付きクーポン発行システム
２    広告情報登録装置
２０    広告情報登録手段
２１    クーポン情報登録手段
２２    情報送信手段
２３    広告情報登録ＤＢ
２４    クーポン情報登録ＤＢ
３    端末装置
３０    広告付きクーポン発行手段
３１    広告情報ＤＢ
３２    クーポン情報ＤＢ
４    店舗装置
５    携帯端末
【図１】
2013145520.tif 000003
【図２】
2013145520.tif 000004
【図３】
2013145520.tif 000005
【図４】
2013145520.tif 000006
【図５】
2013145520.tif 000007
【図６】
2013145520.tif 000008
【図７】
2013145520.tif 000009
【図８】
2013145520.tif 000010
【図９】
2013145520.tif 000011
【図１０】
2013145520.tif 000012
【図１１】
2013145520.tif 000013
【図１２】
2013145520.tif 000014